(57)【要約】【課題】  エアツールに対する取り外しの煩雑さ、および、取り外しの際に空気供給源の元栓を閉める煩雑さをなくした圧力センサユニットを提供する。【解決手段】  エアツール１０から突出される空気導入管３２に挿入されてエアツール１０に着脱可能に取付けられるユニット本体２１と、外部から空気が供給され、空気導入管３２の導入管挿入部３６と連通して設けられる空気通路３８と、空気通路３８内の圧力を計測する圧力センサ２８と、ユニット本体２１に取付けられ、圧力センサ２１の計測値を表示する表示器２４と、導入管挿入部３６に空気導入管３２が挿入されていないときに、空気通路３８から空気導入管３２への空気供給を閉鎖し、導入管挿入部３６に空気導入管３２が挿入されたときに、空気導入管３２による押圧によって、空気通路３８から空気導入管３２への空気供給を開放する弁部３７とを備える。【選択図】図５
2015175725.tif 000002
【特許請求の範囲】
【請求項１】
エアツールの空気供給口に取付けられる圧力センサユニットであって、
前記エアツールから突出される空気導入管に挿入されて前記エアツールに着脱可能に取付けられるユニット本体と、
外部から空気が供給され、前記空気導入管の導入管挿入部と連通して設けられる空気通路と、
前記空気通路内の圧力を計測する圧力センサと、
前記ユニット本体に取付けられ、前記圧力センサの計測値を表示する表示器と、
前記導入管挿入部に前記空気導入管が挿入されていないときに、前記空気通路から前記空気導入管への空気供給を閉鎖し、前記導入管挿入部に前記空気導入管が挿入されたときに、前記空気導入管による押圧によって、前記空気通路から前記空気導入管への空気供給を開放する弁部と、
を備えることを特徴とする圧力センサユニット。
【請求項２】
さらに、
前記空気通路の前記圧力センサによる圧力測定部より上流に、空気の流量を調整する空気量調整弁を備えることを特徴とする請求項１に記載の圧力センサユニット。
【請求項３】
前記空気導入管が、その側面に前記空気通路からの空気を導く空気通過孔を備えることを特徴とする請求項１に記載の圧力センサユニット。
【請求項４】
前記ユニット本体が、前記導入管挿入部に前記空気導入管が挿入されたとき、回転によって前記エアツールの側に形成された長孔内に係合される鉤爪部を備えることを特徴とする請求項１に記載の圧力センサユニット。
【請求項５】
前記ユニット本体が、前記長孔と前記鉤爪部の係合が解除される方向への回転に対し、前記長孔からの前記鉤爪部の離脱を抑止する方向に付勢された付勢部材を備えていることを特徴とする請求項４に記載の圧力センサユニット。
【請求項６】
前記ユニット本体が、前記導入管挿入部に前記空気導入管が挿入されたとき、回転によって前記エアツールの側に形成された凹部に係合される凸部を備えることを特徴とする請求項１に記載の圧力センサユニット。
【請求項７】
ユニット本体が、前記エアツールの前記空気導入管の周りに回転し得ることを特徴とする請求項１に記載の圧力センサユニット。
【発明の詳細な説明】
【技術分野】
【０００１】
本発明は圧力センサユニットに係り、特に、エアツールの空気供給口に取付けられる圧力センサユニットに関する。
【背景技術】
【０００２】
たとえば、空気を供給し噴出塗料を霧化させる塗料スプレーガンは、吹付け空気圧の適正な管理が必要となる。このため、塗料スプレーガンは、たとえば、下記特許文献１に開示されるように、ガン本体に、その空気通路に連結される空気導入口とともに圧力センサおよびその圧力値を表示する表示器を組み込ませた圧力センサユニットをネジ等で固定させたものが知られている。
【０００３】
しかし、このような塗料スプレーガン（以下、上位概念としてエアツールと称する場合がある）は、圧力を確認した後に圧力センサユニットを取り外すのに工具を必要とし、その取り外しの際に空気供給源の元栓を閉めなければならない煩雑さを有している。
【先行技術文献】
【特許文献】
【０００４】
【特許文献１】特開２００３−２１１０３４号公報
【発明の概要】
【発明が解決しようとする課題】
【０００５】
本発明は、このような事情に鑑みてなされたものであり、その目的は、エアツールに対する取り外しの煩雑さ、および、取り外しの際に空気供給源の元栓を閉める煩雑さをなくした圧力センサユニットを提供することにある。
【課題を解決するための手段】
【０００６】
本発明は、以下の構成によって把握される。
（１）本発明の圧力センサユニットは、エアツールの空気供給口に取付けられる圧力センサユニットであって、前記エアツールから突出される空気導入管に挿入されて前記エアツールに着脱可能に取付けられるユニット本体と、外部から空気が供給され、前記空気導入管の導入管挿入部と連通して設けられる空気通路と、前記空気通路内の圧力を計測する圧力センサと、前記ユニット本体に取付けられ、前記圧力センサの計測値を表示する表示器と、前記導入管挿入部に前記空気導入管が挿入されていないときに、前記空気通路から前記空気導入管への空気供給を閉鎖し、前記導入管挿入部に前記空気導入管が挿入されたときに、前記空気導入管による押圧によって、前記空気通路から前記空気導入管への空気供給を開放する弁部と、を備えることを特徴とする。
（２）本発明の圧力センサユニットは、（１）の構成において、さらに、前記空気通路の前記圧力センサによる圧力測定部より上流に、空気の流量を調整する空気量調整弁を備えることを特徴とする。
（３）本発明の圧力センサユニットは、（１）の構成において、前記空気導入管が、その側面に前記空気通路からの空気を導く空気通過孔を備えることを特徴とする。
（４）本発明の圧力センサユニットは、（１）の構成において、前記導入管挿入部に前記空気導入管が挿入されたとき、回転によって前記エアツールの側に形成された長孔内に係合される鉤爪部を備えることを特徴とする。
（５）本発明の圧力センサユニットは、（４）の構成において、前記ユニット本体が、前記長孔と前記鉤爪部の係合が解除される方向への回転に対し、前記長孔からの前記鉤爪部の離脱を抑止する方向に付勢された付勢部材を備えていることを特徴とする。
（６）本発明の圧力センサユニットは、（１）の構成において、前記ユニット本体が、前記導入管挿入部に前記空気導入管が挿入されたとき、回転によって前記エアツールの側に形成された凹部に係合される凸部を備えることを特徴とする。
（７）本発明の圧力センサユニットは、（１）の構成において、ユニット本体が、前記エアツールの前記空気導入管の周りに回転し得ることを特徴とする。
【発明の効果】
【０００７】
このように構成された圧力センサユニットによれば、エアツールに対する取り外しの煩雑さ、および、取り外しの際に空気供給源の元栓を閉める煩雑さをなくすことができる。
【図面の簡単な説明】
【０００８】
【図１】（ａ）は、本発明の圧力センサユニットが取付けられたエアツールとしての塗料スプレーガンを示す側面図、（ｂ）は、（ａ）のｂ−ｂ線における断面図である。
【図２】圧力センサユニットの斜視図である。
【図３】塗料スプレーガンの把持部から突出して取付けられる空気導入管を示した斜視図である。
【図４】塗料スプレーガンの把持部に空気導入管を取付けたときの断面図である。
【図５】圧力センサユニットの内部構造を示す断面図である。
【図６】圧力測定室を形成する圧力センサユニットの一部を破断して示した斜視図である。
【図７】（ａ）、（ｂ）は、それぞれ、圧力センサユニットの取付け部と塗料スプレーガンの取付け部との関係を上方から観た図および下方から観た斜視図、（ｃ）は、取付け部と取付け受け部との完全な係合がなされた際のボールの部分の断面図である。
【図８】（ａ）は、鉤爪部が長孔のうち幅が広い部分に挿入され、（ｂ）は、鉤爪部が長孔のうち幅が狭い部分に嵌合されることを示した平面図である。（ｃ）は、鉤爪部と付勢部材との位置関係を示した断面図で、（ｄ）は鉤爪部が付勢部材に接触し始めた状態を示す断面図である。
【図９】空気導入管を圧力センサユニットの導入管挿入部に挿入し、塗料スプレーガンに圧力センサユニットを取付けた場合を示す断面図である。
【図１０】（ａ）、（ｂ）は、実施形態２を示し、塗料スプレーガン側に形成した取付け部を異なる視点で示した斜視図である。
【図１１】実施形態２を示し、圧力センサユニットの取付け部側の構成を示した斜視図である。
【発明を実施するための形態】
【０００９】
以下、添付図面を参照して、本発明を実施するための形態（以下、実施形態）について詳細に説明する。なお、実施形態の説明の全体を通して同じ要素には同じ番号を付している。
【００１０】
（実施形態１）
図１（ａ）は、本発明の圧力センサユニットが取付けられたエアツールとしての塗料スプレーガンを示す側面図、図１（ｂ）は、図１（ａ）のｂ−ｂ線における断面図である。
【００１１】
図１（ａ）において、塗料スプレーガン１０は、ガン本体１１、把持部１２、引金１３、および塗料収納カップ１４を備えて構成されている。ガン本体１１の先端部（図中左側）には塗料収納カップ１４からの塗料が供給され、ガン本体１１の先端の塗料噴出ノズル（図示せず）を通して塗料を噴出し得るようになっている。また、把持部１２の底部には圧力センサユニット２０が取付けられ、外部からの空気は、圧力センサユニット２０、把持部１２、ガン本体１１に供給され、ガン本体１１の先端に取付けられた空気キャップ１５を通して噴出されるようになっている。塗料および空気の噴出は引金１３の操作によってなされ、塗料噴出ノズルからの塗料は、空気キャップ１５からの空気によって霧化されるようになっている。
【００１２】
圧力センサユニット２０は、ユニット本体２１に空気供給口２２、空気供給口２２からの空気の流量を調整するつまみ２３、調整された流量の空気の圧力値を表示する表示器２４、把持部１２の底部に取付ける取付け部２５を備えて構成されている。また、圧力センサユニット２０は、図１（ｂ）に示すように、空気供給口２２に連通する空気通路３８を有し、空気通路３８と接続される連通孔２７を通して該空気通路３８の圧力を圧力センサによって検知し、圧力センサによる計測値を表示器２４に表示するようになっている。図２は、圧力センサユニット２０の斜視図であり、塗料スプレーガン１０との取付け部２５には、空気通路３８の周りに複数（図ではたとえば３個）の鉤爪部３０が等間隔で立設されている。
【００１３】
図３は、塗料スプレーガン１０の把持部１２から突出して取付けられる空気導入管３２を示した斜視図である。図３に示すように、空気導入管３２は、その一端側に、周方向に沿って複数（図ではたとえば４個）の空気通過孔３３が形成され、他端側に塗料スプレーガン１０（エアツール）に取付けられるフランジ状の取付け受け部３４を有している。取付け受け部３４には、それを塗料スプレーガン１０に取付けたときに、該塗料スプレーガン１０内の空気通路（図示しない）と空気導入管３２とを連通させる連通孔１２Ａ（図４参照）が形成されている。取付け受け部３４は、空気導入管３２側の面３４Ａにおいて、周方向に沿った複数（図ではたとえば３個）の長孔３５が形成されている。各長孔３５は、後の説明から明らかとなるように、圧力センサユニット２０に形成された鉤爪部３０（図２参照）が挿入され、該取付け受け部３４と圧力センサユニット２０の取付け部２５との結合がなれるようになっている。
【００１４】
なお、この明細書では、空気導入管３２が取付けられた塗料スプレーガン１０を上位概念的にエアツールと称する場合がある。
【００１５】
図４は、空気導入管３２を塗料スプレーガン１０の把持部１２に取付けたときの図であり、該空気導入管３２の中心軸を含む面での断面図である。空気導入管３２が取付けられる取付け受け部３４と把持部１２との取付けはたとえばねじによる螺合によってなされ、取付け受け部３４は塗料スプレーガン１０に対して緩むことなく固定されるとともに、把持部１２内の空気通路と空気導入管３２との連通がなされるようになっている。
【００１６】
図５は、圧力センサユニットの内部構造を示す図で、図２のV−V線における断面図である。図５に示すように、取付け部２５から空気供給口２２に及んで、空気通路３８の一部となる導入管挿入部３６、弁部３７、空気通路３８Ａ、３８Ｂが形成されている。導入管挿入部３６は、前記空気導入管３２が挿入されるようになっており、その周囲には中心軸方向に複数（図ではたとえば２個）のＯ−リング３９が埋設されている。弁部３７は、導入管挿入部３６の軸方向に摺動し得るように配置され、バネ４０によって取付け部２５側へ付勢され、この付勢による弁部３７の所定以上の移動は導入管挿入部３６の周壁に形成された段差部４１によって規制されるようになっている。空気通路３８Ａは、弁部３７が配置された部分から迂回部を有し、導入管挿入部３６と同軸上に配置され空気供給口２２に接続される空気通路３８Ｂと直交部４２を有するように形成されている。
【００１７】
空気通路３８Ａと空気通路３８Ｂの直交部４２には空気量調整弁４４が配置され、空気量調整弁４４は、ユニット本体２１に取付けられたつまみ２３の回転によって、該空気量調整弁４４を取付けた軸体４５が軸方向に移動し、空気通路３８Ａ、３８Ｂ内の空気量を調整するようになっている。なお、空気量調整弁４４は、バネ４６によって付勢されている。
【００１８】
空気量調整弁４４より下流側の空気通路３８Ａには、図１（ｂ）に示したように、連通孔２７が形成され、この連通孔２７を通して該空気通路３８Ａ内の圧力がユニット本体２１内の圧力測定室（圧力測定部）２１Ｒに伝達されるようになっている。圧力測定室２１Ｒには、圧力センサ２８、電気回路、たとえば液晶表示器等の表示器２４が配置され、連通孔２７を通した空気通路３８Ａの圧力を圧力センサ２８で検知し、電気回路を通して計測した圧力値を表示器２４で表示するようになっている。なお、図６は、圧力測定室２１Ｒを形成するユニット本体２１の一部を破断して示した斜視図であり、空気通路３８Ａの一部に形成された連通孔２７が圧力測定室２１Ｒ側に連通されていることを示している。
【００１９】
図７（ａ）、（ｂ）は、それぞれ、圧力センサユニット２０の取付け部２５と塗料スプレーガン１０の取付け受け部３４との関係を上方向から観た図および下方から観た斜視図である。圧力センサユニット２０の取付け部２５の空気通路３８（図２参照）の周りには同心円上に複数（たとえば３個）の鉤爪部３０が等間隔に立設されている。鉤爪部３０は、先端において径方向に凸部を有する逆“Ｌ”字状をなしている。塗料スプレーガン１０の取付け受け部３４の空気導入管３２の周りには、同心円上に複数（たとえば３個）の円弧形の長孔３５が形成されている。各長孔３５は、図８（ａ）に示すように、それぞれ、同方向における一端側において幅が広く他端側において幅が狭く形成されている。また、取付け部２５の空気通路３８の周りには同心円上に複数（たとえば３個）のボール６１Ｂが、その一部を突出させて配置されている。これらボール６１Ｂは、図７（ｃ）の断面図に示すように、取付け部２５に埋設された市販のボールプランジャーのような付勢部材６１に内蔵され、バネ６１Ａによって付勢されるとともに、該付勢部材６１からの飛び出しが規制されている。なお、図７（ｃ）は、取付け部２５と取付け受け部３４とが完全に係合されたときの断面を示す図であり、取付け受け部３４には各ボール６１Ｂに対応する位置に穴６２が設けられ、各ボール６１Ｂの一部はバネ６１Ａの付勢によって対応する穴６２に嵌合し得るようになっている。
【００２０】
図８（ａ）は、取付け部２５の鉤爪部３０が取付け受け部３４の長孔３５のうち幅が広い部分に挿入されていることを示し、図８（ｂ）は、取付け部２５を回転させることによって、取付け部２５の鉤爪部３０が取付け受け部３４の長孔３５のうち幅が狭い部分に嵌合されることを示している。このとき、取付け部２５を取付け受け部３４に押し付けながら回転させるので、ボール６１Ｂの一部が付勢部材６１内に押し込まれ取付け部２５には反発力が働き取付け受け部３４から軸方向に離れようとするが、取付け部２５の各鉤爪部３０の先端の凸部が取付け受け部３４側に係止することによって軸方向の移動が規制されるようになる。そして取付け部２５の回転によってボール６１Ｂの一部が穴６２に嵌合し、その着座する音と感触により作業者は装着完了を知ることができる。そして、取付け部２５の回転方向の移動が規制され、取付け部２５と取付け受け部３４との完全な係合がなされるようになる。また、逆の動作によって、取付け部２５の鉤爪部３０の取付け受け部３４の長孔３５に対する離脱がなされるようになる。このようにした場合、塗料スプレーガン１０に対する圧力センサユニット２０の容易な着脱が可能になる。
【００２１】
また、図８（ｃ）は、作業者が塗料スプレーガン１０の操作中に圧力センサユニット２０が不意に外れてしまう（解除される）のを防ぐため、圧力センサユニット２０内において、鉤爪部３０が長孔３５から容易に離脱できないように、その離脱を抑止する方向に付勢された付勢部材６０が備えられていることを示している。付勢部材６０としては、たとえば内蔵されたバネ６０Ａが先端のボール６０Ｂを常時付勢するように構成された市販のボールプランジャーが用いられている。このような付勢部材６０が取付け受け部３４の中心を囲むように等間隔で三方向からねじ込まれている。そして、図８（ｄ）に示すように、付勢部材６０は、鉤爪部３０が接触し接近してくると鉤爪部３０が長孔３５の位置に近づかないように反発力が働くようになっている。これにより、圧力センサユニット２０を外す場合は作業者は外すという明確な意思を持って、該反発力に打ち勝つように取付け部２５を回転させることになるので作業中に圧縮空気の圧力がかかる圧力センサユニット２０が不意に外れることがなく安全にできる効果を奏する。
【００２２】
図９は、空気導入管３２を圧力センサユニット２０の導入管挿入部３６に挿入し、塗料スプレーガン１０に圧力センサユニット２０を取付けた場合を示す断面図である。なお、図９においては、つまみ２３の回転操作によって空気量調整弁４４が開放された状態を示している。
【００２３】
図９において、図７、図８に示したような取付け受け部３４と取付け部２５との取付けがなされた場合、空気導入管３２の先端が圧力センサユニット２０内の弁部３７を押圧し、弁部３７はバネ４０を圧縮させる方向に移動するようになる。
【００２４】
弁部３７の移動によって、いままで弁部３７の配置によって塞がれていた導入管挿入部３６の段差部４１以降の大径の部分に空気が流れるようになる。そして、導入管挿入部３６の大径の部分には、空気導入管３２の空気通過孔３３が位置づけられるようになり、空気は該空気通過孔３３を通して空気導入管３２内に流れるようになる。
【００２５】
これにより、弁部３７は、圧力センサユニット２０の導入管挿入部３６に空気導入管３２を挿入することにより、いままで空気通路３８から導入管挿入部３６への空気供給が閉鎖されていた状態から、開放させる状態に移行させるようになっている。
【００２６】
このことは、取付け受け部３４に対して圧力センサユニット２０の取付け部２５を外す場合において、空気通路３８から空気が導入管挿入部３６への空気の流入が弁部３７によって妨げられることから、予め空気供給源の元栓を閉める煩雑さを回避できるようになる。
【００２７】
したがって、本発明の圧力センサユニットによれば、エアツールに対する取り外しの煩雑さ、および、取り外しの際に空気供給源の元栓を閉める煩雑さをなくすことができる。
【００２８】
なお、上述のように取付けた圧力センサユニット２０は、塗料スプレーガン１０に対して図中α方向に回転できるようになっている。これにより、圧力センサユニット２０に取付けられた表示器２４を任意の方向に向けることができ、操作者にとって表示器２４を見易い位置にもってくることができる効果を奏する。
【００２９】
（実施形態２）
実施形態１では、圧力センサユニット２０の塗料スプレーガン１０に対する取付けは、ユニット本体２１に形成した鉤爪部３０と塗料スプレーガン１０側に形成した長孔３５との係合で行うようにしたものである。しかし、これに限定されることはなく他の構成によってもよいことはいうまでもない。
【００３０】
たとえば、図１０、図１１に示す構成のようにしてもよい。図１０（ａ）、（ｂ）は、塗料スプレーガン１０側に形成した取付け受け部３４’を異なる視点で示した斜視図である。取付け受け部３４’にはその軸方向に伸長する空気導入管３２’が立設されている。取付け受け部３４’の周側面には複数（図ではたとえば３個）の凹部５０が形成されている。各凹部５０は、空気導入管３２’が立設する面３４Ａ’において切欠き５１を形成し、その後、同じ周方向へ向かうにつれ、該面３４Ａ’と遠ざかるように傾斜を有して延在した後、該面３４Ａ’側に近接するように垂下する垂下部５２を有して形成されている。
【００３１】
図１１は、圧力センサユニット２０の取付け部２５’（図２の取付け部２５に相当する）側の構成を示した斜視図である。取付け部２５’は塗料スプレーガン１０側の取付け受け部３４’の周側面を被う円筒体で形成され、その内周面には、塗料スプレーガン１０側の取付け受け部３４’の切欠き５１に対応する位置に凸部５５が形成されている。
これにより、圧力センサユニット２０の各凸部５５を塗料スプレーガン１０側の取付け受け部３４’の切欠き５１に挿入し、圧力センサユニット２０を回転することにより、各凸部５５は、傾斜を有する凹部５０を滑った後に垂下部５２に配置され、塗料スプレーガン１０に対して圧力センサユニット２０の嵌合がなされるようになる。
【００３２】
このようにした場合にも、塗料スプレーガン１０に対する圧力センサユニット２０の容易な着脱可能になる。
【００３３】
（実施形態３）
実施形態１、２では、いずれもエアツールとして塗料スプレーガンを挙げたものであるが、これに限定されることはない。空気を供給できる一般のエアツールに適用できることはもちろんである。
【００３４】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００３５】
１０              塗料スプレーガン（エアツール）
１１              ガン本体
１２              把持部
１３              引金
１４              塗料収納カップ
１５              空気キャップ
２０              圧力センサユニット
２１              ユニット本体
２２              空気供給口
２３              つまみ
２４              表示器
２５              取付け部
２７              連通孔
２８              圧力センサ
３０              鉤爪部
３２              空気導入管
３３              空気通過孔
３４              取付け受け部
３５              長孔
３６              導入管挿入部
３７              弁部
３８              空気通路
３８Ａ、３８Ｂ    空気通路
３９              Ｏ−リング
４０              バネ
４１              段差部
４２              直交部
４４              空気量調整弁
４５              軸体
４６              バネ
５０              凹部
５１              切欠き
５２              垂下部
５５              凸部
６０              付勢部材
６０Ａ            バネ
６０Ｂ            ボール
６１              付勢部材
６１Ａ            バネ
６１Ｂ            ボール
６２              穴
【図１】
2015175725.tif 000003
【図２】
2015175725.tif 000004
【図３】
2015175725.tif 000005
【図４】
2015175725.tif 000006
【図５】
2015175725.tif 000007
【図６】
2015175725.tif 000008
【図７】
2015175725.tif 000009
【図８】
2015175725.tif 000010
【図９】
2015175725.tif 000011
【図１０】
2015175725.tif 000012
【図１１】
2015175725.tif 000013